(57)【要約】【課題】  洗浄のための手段をシンプルかつコンパクトに付設させ得る洗浄機構付き蓋体を提供する。【解決手段】  浴槽蓋３の表面３１０に開閉操作用の取っ手４を形成し、取っ手の内部にベンチュリー部７を形成し、下側位置に凹設した洗剤貯留槽８からの洗浄通路８の下流端と、通気孔９の一端９１とをベンチュリー部内に開口させる。浴槽蓋内に形成した水供給路６を間にベンチュリー部を介在させて洗浄ノズル５まで連通させる。水が供給されればベンチュリー部内で洗剤が吸い込まれて洗浄水が生成され、通気孔から吸い込まれたエアーで洗剤が泡立てられて、洗浄ノズルから浴槽内表面に向けて噴霧される。【選択図】      図２
2009022683.tif 000002
【特許請求の範囲】
【請求項１】
洗浄対象の上面開口部側から内表面に向けて洗浄水を噴霧又は吹き付ける洗浄ノズルを裏面に備えると共に、上記洗浄対象の上面開口部を開放又は閉鎖状態に開閉変換させるための開閉操作部を表面に備えた洗浄機構付き蓋体であって、
上記開閉操作部には、洗剤を貯留するための洗剤貯留槽と、水供給路を通して供給される水又は湯に対し上記洗剤貯留槽に貯留された洗剤を混合して洗浄水を生成する洗浄水生成部とが併設され、
上記洗浄水生成部の下流側は上記洗浄ノズルと連通されて上記洗浄水が洗浄ノズルに供給されるように構成されている
ことを特徴とする洗浄機構付き蓋体。
【請求項２】
請求項１に記載の洗浄機構付き蓋体であって、
上記開閉操作部は取っ手を備え、
上記取っ手の内部に洗浄水生成部が形成され、その取っ手の下方位置又は側方位置の表面に洗剤貯留槽が凹みとして形成されている、洗浄機構付き蓋体。
【請求項３】
請求項２に記載の洗浄機構付き蓋体であって、
上記洗浄水生成部はベンチュリー部により構成され、
上記ベンチュリー部内に開口して上記洗剤貯留槽に連通される洗剤通路が接続されている、洗浄機構付き蓋体。
【請求項４】
請求項３に記載の洗浄機構付き蓋体であって、
上記ベンチュリー部には、水供給路に水が流されることによりそのベンチュリー部に形成される負圧領域に臨んで一端が開口し、他端が大気に連通する通気孔が接続されている、洗浄機構付き蓋体。
【発明の詳細な説明】
【技術分野】
【０００１】
本発明は、例えば浴槽、便器、食器洗浄機等の内表面を洗浄するための洗浄ノズルを備えた洗浄機構付き蓋体に関する。
【背景技術】
【０００２】
従来、洗浄機構付き蓋体として、浴槽の内表面を洗浄するための洗浄ノズルを裏面に設けた浴槽蓋が提案されている(例えば特許文献１参照)。この浴槽蓋では、裏面の洗浄ノズルに洗浄水を供給するための配管を浴槽蓋の内部に埋設状に設けたものが提案され、浴槽蓋とは別に、バルブを介して水道管等からの給水と、別のバルブを介して洗剤投入器からの洗剤とが合流され、合流された洗浄水を上記配管に対しポンプを通して供給するようにされている。
【０００３】
又、他の浴槽蓋として、裏面に散水部(洗浄ノズル)が設けられ、この散水部に水を導入するための導水管が浴槽蓋の上に配置されたものが提案されている(例えば特許文献２参照)。このものでは、導水管の上流端に対し給水・給湯水栓が着脱可能に接続される他、導水管に対し、洗剤が貯留されたタンクからポンプにより吸入した洗剤を注入することも提案されている。
【０００４】
【特許文献１】実開平６−３４４号公報
【特許文献２】特開２００５−２７７５５号公報
【発明の開示】
【発明が解決しようとする課題】
【０００５】
ところで、上記の浴槽蓋においては、洗浄ノズルに対し水又は洗浄水を供給するための管路が浴槽蓋の内部に設けられているか、外部に設けられているかの相違はあるものの、いずれの浴槽蓋であっても、洗剤を水に混入するために洗剤投入器又は洗剤貯留タンクを浴槽蓋とは別に設ける必要がある上に、実際の洗剤混入を実現するためにバルブ又はポンプを装備する必要があるというように、複雑かつコンパクト化に反するものであるという不都合を有している。
【０００６】
本発明は、このような事情に鑑みてなされたものであり、その目的とするところは、洗浄対象の内表面を洗浄するための手段をシンプルかつコンパクトに付設させ得る洗浄機構付き蓋体を提供することにある。
【課題を解決するための手段】
【０００７】
上記目的を達成するために、本発明では、洗浄機構付き蓋体において、洗浄対象の上面開口部側から内表面に向けて洗浄水を噴霧又は吹き付ける洗浄ノズルを裏面に備えると共に、上記洗浄対象の上面開口部を開放又は閉鎖状態に開閉変換させるための開閉操作部を表面に備えるようにする。そして、上記開閉操作部に、洗剤を貯留するための洗剤貯留槽と、水供給路を通して供給される水又は湯に対し上記洗剤貯留槽に貯留された洗剤を混合して洗浄水を生成する洗浄水生成部とを併設し、上記洗浄水生成部の下流側を上記洗浄ノズルと連通させて上記洗浄水が洗浄ノズルに供給される構成とすることとした(請求項１)。
【０００８】
本発明の場合、洗浄水生成部と洗剤貯留槽とが開閉操作部に併設されるようにしているため、洗剤が混合された洗浄水によって洗浄対象の内表面を洗浄するための必要構成要素が全て開閉操作部に備わっていることになる。このため、洗浄対象の内表面を洗浄するための洗浄機構を蓋体に設けて洗浄機構付き蓋体を構成する場合に、その洗浄機構付き蓋体をシンプルかつコンパクトにすることが可能となる。
【０００９】
より具体化させると、上記開閉操作部として取っ手を備えたもので構成し、上記取っ手の内部に洗浄水生成部を形成し、その取っ手の下方位置又は側方位置の表面に洗剤貯留槽を凹みとして形成するようにすることができる(請求項２)。このようにすることにより、デザイン的にも優れ、かつ、洗剤貯留槽の洗剤と水供給路からの水とを混合させて洗浄水を生成するという洗浄水生成部における機能をより具体的に実現させ得ることになる。
【００１０】
さらに、上記洗浄水生成部をベンチュリー部により構成し、上記ベンチュリー部内に開口して上記洗剤貯留槽に連通される洗剤通路を接続することができる(請求項３)。このようにすることにより、取っ手内に洗浄水生成部としてのベンチュリー部を容易に形成することが可能となる上に、ベンチュリー部に水が流されることによりベンチュリー部内に形成される負圧領域に上記洗剤通路から洗剤を吸い込ませて水に混合させ得るため、水と洗剤とを混合させた洗浄水の自動生成の確実化が図られる。
【００１１】
又、その際に、上記ベンチュリー部に対し、水供給路に水が流されることによりそのベンチュリー部に形成される負圧領域に臨んで一端が開口し、他端が大気に連通する通気孔を接続させることができる(請求項４)。このような通気孔を追加することにより、ベンチュリー部内に形成される負圧領域に通気孔からエアーが吸い込まれ、このエアーによって洗浄水の洗剤が泡立てられることになる一方、水の供給が停止されると、ベンチュリー部内に通気孔から流入するエアーによりベンチュリー部内や洗浄ノズル側に残留する洗浄水が洗浄ノズルから落下する一方、洗剤通路内の洗剤が重力落下によって洗剤タンク内に戻されることになる。これにより、サイホン作用によって洗剤貯留槽内の洗剤が洗浄ノズルから流出してしまうという事態の発生が回避されることになる。
【発明の効果】
【００１２】
以上、説明したように、請求項１〜請求項４のいずれかの洗浄機構付き蓋体によれば、洗浄水生成部と洗剤貯留槽とを開閉操作部に併設させているため、洗剤が混合された洗浄水によって浴槽の内表面を洗浄するための必要構成要素を全て開閉操作部に備わっているようにすることができ、これにより、洗浄対象の内表面を洗浄するための洗浄機構を蓋体に設けて洗浄機構付き蓋体を構成する場合に、その洗浄機構付き蓋体をシンプルかつコンパクトにしたものにすることができるようになる。
【００１３】
特に、請求項２によれば、デザイン的にも優れたものとすることができ、かつ、洗剤貯留槽の洗剤と水供給路からの水とを混合させて洗浄水を生成するという洗浄水生成部における機能をより具体的に実現させることができるようになる。
【００１４】
又、請求項３によれば、取っ手内に洗浄水生成部としてのベンチュリー部を容易に形成することができる上に、ベンチュリー部内に洗剤通路から洗剤を吸い込ませて水に混合させることができ、水と洗剤とを混合させた洗浄水の自動生成の確実化を図ることができることになる。
【００１５】
さらに、請求項４によれば、通気孔の追加により、ベンチュリー部内で生成される洗浄水の洗剤を泡立てることができる一方、水の供給が停止される際に、サイホン作用によって洗剤貯留槽内の洗剤が洗浄ノズルから流出してしまうという事態の発生を回避することができる。
【発明を実施するための最良の形態】
【００１６】
以下、本発明の実施形態を図面に基づいて説明する。
【００１７】
＜第１実施形態＞
図１は、浴槽を洗浄対象としその浴槽蓋に本発明の洗浄機構付き蓋体を適用した第１実施形態を示し、符号２は洗浄対象としての浴槽、３は洗浄機構付き蓋体として一対で１セットの折り畳み式の浴槽蓋、４はこの浴槽蓋３を構成する第１蓋部材３１の表面(後述の閉鎖状態における上面)３１０に設けられた開閉操作部の一部を構成する取っ手、５は上記第１蓋部材３１の裏面(後述の閉鎖状態における下面)３１３に設けられた洗浄ノズルである。
【００１８】
浴槽蓋３は、浴槽２の一側(浴室の壁面に隣接する側)の端部上に設置される端部材３０に対し一端縁３１１が水平軸Ｘ回りに揺動自在に連結された第１蓋部材３１と、この第１蓋部材３１の他端縁３１２に対し一端縁３２１が上記水平軸Ｘと平行な軸の回りに折曲自在にヒンジ結合された第２蓋部材３２とから折り畳み式に構成されている。この浴槽蓋３は、図１(ａ)に示すように浴槽２の上面開口部２２(図１（ｂ）参照)の上に被せた閉鎖状態から、取っ手４を握って第１蓋部材３１の他端縁３１２側を手前上方に向けて持ち上げて第１蓋部材３１を水平軸Ｘ回りに揺動させることによりヒンジ結合の第２蓋部材３２をも伴って起伏させ、ついには図１(ｃ)に示すように第１及び第２蓋部材３１，３２を重ね合わせて倒立した状態にして上面開口部２２を開放した開放状態にし得るようになっている。この開放状態では、第１蓋部材３１の裏面(閉鎖状態においては下面)３１３が、第２蓋部材３２の裏面と重ね合わされた状態になる。
【００１９】
取っ手４は、第１蓋部材３１の他端縁３１２近傍の表面３１０に設けられたものである。詳細に説明すると、この取っ手４は、図２に示すように、表面３１０から立ち上がる一対の脚部４１，４１の上端同士に掴み杆部４２を架け渡して一体連結させた門形のハンドル形状に形成されたものである。そして、この取っ手４を含んだ第１蓋部材３１には、上記洗浄ノズル５に向けて水を供給する水供給通路６と、この水供給通路６に介装された洗浄水生成部としてのベンチュリー部７と、このベンチュリー部７に対し洗剤を導く洗剤貯留槽８と、同じくこのベンチュリー部７に対しエアーを導入する通気孔９とが設けられている。
【００２０】
上記水供給通路６は、その上流端(例えば図１(ａ)の符号６１参照)側に図示省略の給水源又は給湯源（例えば給湯器からの給湯管、又は、かかる給湯管に接続された浴室カランからの分岐管）が接続されており、洗浄スイッチ(例えば図１(ａ)の符号１０参照)のＯＮ操作により図示省略の電磁弁が開作動されると背圧（例えば水道管の供給圧）に対応して所定流量以上の水を下流端である洗浄ノズル５に向けて流すようになっている。水供給通路６は、上流端６１から例えば端部材３０の内部を延びた後、一端縁３１１から第１蓋部材３１の内部に連通し、第１蓋部材３１内を延びて図２の取っ手４の一側脚部４１、掴み杆部４２、他側脚部４１の内部を通って、洗浄ノズル５に連通されている。
【００２１】
なお、上記洗浄スイッチ１０のＯＮ操作により、そのＯＮ信号が図示省略のコントローラに出力され、このコントローラから上記の電磁弁に開信号を出力し、この電磁弁の開閉制御を所定の洗浄運転プログラム (例えば間欠的に開・閉を繰り返して洗浄水の噴霧と待機とを繰り返す洗浄運転制御)に従って実行するようになっている。その際に、水供給通路６の所定位置に流量調整弁又はこれに加えて流量センサを設け、コントローラにより流量調整弁を作動制御したり、この作動制御の際に流量センサの検出値を利用したりして、電磁弁が開作動された際に流れる水又は湯の流量が確実に所定流量になるように制御するようにしてもよい。
【００２２】
上記ベンチュリー部７は取っ手４の掴み杆部４２内に設けられ、このベンチュリー部７を挟んで上流側の水供給通路部分６３と下流側の水供給通路部分６４との間の流路（流路断面積）を狭小に絞るように内径が小さく変更され、水の流れを絞ることにより通過する水の流速を増加させるようになっている。そして、上記の電磁弁が開かれて給水源等からの所定流量の水又は湯(以下「湯水」という)が流されることにより、その水の通過流速を増加させて上下流側の流速の低い通路部分６３，６４よりも圧力を下げて大気圧よりも低い所定の負圧領域を形成するようになっている。このベンチュリー部７内の負圧領域には、この負圧領域に臨んで洗剤通路８１の下流端８２(図２（ａ）参照）が開口する一方、洗剤通路８１はその上流端８３が洗剤貯留槽８の底面近傍位置で開口するように延ばされている。又、図２(ａ)に示すように、上記ベンチュリー部７内には上記の負圧領域に臨んで通気孔９の一端９１が開口され、その他端９２は大気に連通するように開口されている。
【００２３】
上記洗剤貯留槽８は、取っ手４の下側位置の表面３１０において上面が大気に開放された状態で所定容積分だけ凹ませて形成したものである。この洗剤貯留槽８は、１回の洗浄に要する洗剤の最大量に対応するようにその容積が設定されており、１回の洗浄毎にユーザーがその回の洗浄分の洗剤として上記の最大量までの範囲で所望量を投入するようにされている。以上の水供給通路６やベンチュリー部７等が内部に形成された第1蓋部材３１は、例えば水供給通路６やベンチュリー部７を形成した管路をインサート材とした合成樹脂成形により形成するようにすればよい。
【００２４】
浴槽蓋３を開放状態にしてユーザーが入浴した後に、浴槽２内から残湯が排出された状態で洗浄運転が可能となり、自動洗浄運転を行わせるためにユーザーが洗剤貯留槽８に洗剤を投入した上で、上述の洗浄スイッチ１０をＯＮ操作すると、次のようにして洗浄が行われることになる。すなわち、洗浄スイッチ１０のＯＮ操作により電磁弁が開かれると、給水源等からの湯水が水供給通路６を通してベンチュリー部７に流され、ベンチュリー部７を通過する際に流速が増加されて負圧領域を形成する。これにより、洗剤通路８１を通して洗剤貯留槽８内の洗剤が負圧領域に吸い込まれて湯水と混合されて洗浄水を生成する一方、通気孔９からエアーも同時に負圧領域に吸い込まれ、このエアーによって洗浄水の洗剤が泡立てられることになる。そして、泡立てられた状態の洗浄水が洗浄ノズル５から洗浄対象である浴槽２の内表面２３(図１(ｃ)参照)に向けて噴霧されることになる。なお、洗浄ノズル５の構成としては、噴霧ノズルの他に、噴射ノズルもしくは吹き付けノズル等を採用してもよい。
【００２５】
そして、洗浄運転プログラムとして上述の間欠的な洗浄運転制御がコントローラに実装されている場合には、洗剤を所定量（例えば３ｃｃ程度）使用されるのに相当する所定時間だけ電磁弁を開いて洗浄ノズル５から洗浄水の噴霧を行い、その所定時間の経過により電磁弁を閉じて噴霧を停止させ、この停止状態で所定時間待機する。そして、この所定時間待機の後に、上記の洗浄水の噴霧と、停止状態での待機とを所定回数繰り返す。そして、洗剤貯留槽８内の洗剤が無くなれば、開状態にした電磁弁を通して湯水だけ供給してすすぎを所定時間行い、その時間経過により電磁弁を閉にして終了する
この洗浄運転において、上記の電磁弁が閉じられて湯水の流れが遮断されると、ベンチュリー部７内に通気孔９から流入するエアーによりベンチュリー部７内や下流側水供給通路部分６４内の洗浄水又は湯水が洗浄ノズル５から落下する一方、洗剤通路８１内の洗剤は重力落下によって洗剤貯留槽８内に戻されることになる。従って、洗剤通路８１、ベンチュリー部７、下流側水供給通路部分６４、洗浄ノズル５に亘るサイホン作用によって洗剤貯留槽８内の洗剤が洗浄ノズル５から流出してしまうという事態の発生を回避することができる。
【００２６】
なお、ベンチュリー部７の負圧領域に対する洗剤通路８１の開口位置（８２）と、通気孔９の開口位置（９１）とは、湯水が通過する際にベンチュリー部７内に形成される負圧領域に開口していればよく、いずれが上流側又は下流側でなければならないという事情はない。従って、図２(ａ)では通気孔９の開口位置(９１)の方が上流側に図示しているが、逆に、洗剤通路８１の開口位置（８２）よりも下流側に設定してもよい。
【００２７】
以上の浴槽蓋３の場合、浴槽２内の洗浄のための手段として、洗浄水生成部としてのベンチュリー部７を取っ手４の内部に、洗剤貯留槽８をその下側位置の第１蓋部材３１の表面３１０にそれぞれ形成しているため、デザイン的にも優れかつベンチュリー部７や洗剤貯留槽８等の浴槽洗浄のための手段を浴槽蓋３に対しシンプルかつコンパクトに付設させることができるようになる。
【００２８】
以上の第1実施形態の他の形態として図３に示すようにしてもよい。すなわち、図２に示す第1実施形態の場合には洗剤通路８１の一部が取っ手４の掴み杆部４２の下から垂下しているのに対し、他の形態では、図３に示すように洗剤通路８１′として、ベンチュリー部７内に開口させた下流端８２から掴み杆部４２の内部であって上流側水供給通路部分６３とは異なる部位を通り、続いて脚部４１内を通って洗剤貯留槽８の深さ方向の内面から上流端８３を洗剤貯留槽８内の底部近傍位置まで突出させるようにするのである。この場合には、取っ手４の下側空間である掴み杆部４２と洗剤貯留槽８との間の空間に何も存在しない状態にすることができ、浴槽蓋３の開閉操作を行うために取っ手４を確実に掴んで操作することができるようになる。
【００２９】
＜第２実施形態＞
図４は、本発明の第２実施形態に係る洗浄機構付き蓋体としての浴槽蓋３の取っ手４ａ並びにこれに付設された洗浄水生成部としてのベンチュリー部７及び洗剤貯留槽８ａ，８ａを示すものである。なお、第１実施形態と同様の構成要素には第１実施形態と同一符号を付してその詳細な説明は省略する。
【００３０】
第２実施形態の取っ手４ａは摘み状に構成したものであり、両側から掴むことにより第１蓋部材３１を上方に持ち上げて開放状態(図１(ｃ)参照)にしたり、下ろして閉鎖状態(図１(ａ)参照)にしたりし得るようにしたものである。具体的には、第１蓋部材３１の表面３１０に開口して形成された凹部の中央を横切るように堤部を形成し、この堤部により取っ手４ａを構成し、取っ手４ａにより両側に分割された凹部で洗剤貯留槽８ａ，８ａを構成したものである。そして、この取っ手４ａの内部であって洗剤貯留槽８ａの上面開口部よりも上側位置にベンチュリー部７を配置している。
【００３１】
この第２実施形態においては、取っ手４ａの存在により、その両側に２つの洗剤貯留槽８ａ，８ａに分かれるため、例えば洗剤通路８１ａの上流端８３の側を２つの洗剤貯留槽８ａ，８ａの各底面位置で開口するように途中で分岐させたり、あるいは、取っ手４ａの下側位置に２つの洗剤貯留槽８ａ，８ａの底面位置同士を連通させる連通孔(図示省略)を形成したりするようにすればよい。又、取っ手４ａの横断面形状として、逆三角形又は逆台形のように下側の方が掴み幅が狭くなるようにして、掴み易くするようにすればよい。
【００３２】
このような第２実施形態によっても、第１実施形態と同様の作用・効果を得ることができ、デザイン的にも優れかつ洗浄水生成部としてのベンチュリー部７や洗剤貯留槽８ａ，８ａ等の浴槽洗浄のための手段を浴槽蓋３の取っ手４ａに対しシンプルかつコンパクトに付設させることができるようになる。
【００３３】
＜第３実施形態＞
図５は、本発明の第３実施形態に係る洗浄機構付き蓋体としての浴槽蓋３の取っ手４ｂ並びにこれに付設された洗浄水生成部としてのベンチュリー部７及び洗剤貯留槽８ｂを示すものである。なお、第１実施形態と同様の構成要素には第１実施形態と同一符号を付してその詳細な説明は省略する。
【００３４】
第３実施形態の取っ手４ｂは手掛け状に構成したものであり、手を掛ける部分を第１蓋部材３１の表面３１０よりも凹ませて形成し、その凹みを洗剤貯留槽８ｂとして構成したものである。この場合は、洗剤貯留槽８ｂ内に手を差し入れて取っ手４ｂの下側に手を掛けて掴むことにより第１蓋部材３１を上方に持ち上げて開放状態(図１(ｃ)参照)にしたり、下ろして閉鎖状態(図１(ａ)参照)にしたり、することができるようにしたものである。
【００３５】
そして、第１蓋部材３１の他端縁３１２近傍まで延ばした水供給路６を他端縁３１２と平行に延びるように屈曲させ、取っ手４ｂ内に他端縁３１２と平行に延びるように形成したベンチュリー部７の一側(図５(ａ)の紙面に直交する方向の奥側、図５(ｂ)の左側)に上流側水供給路部分６３を連通させ、他側(図５(ａ)の紙面に直交する方向の手前側、図５(ｂ)の右側)に下流側水供給路部分６４を連通させるようにしている。上記ベンチュリー部７内には、上流端８３を洗剤貯留槽８ｂの底部に開口させた洗剤通路８１ｂの下流端８２を開口させると共に、取っ手４ｂの表面に他端９２を開口させた通気孔９の一端９１を開口させている。
【００３６】
かかる第３実施形態の場合によっても、第１実施形態と同様の作用・効果を得ることができ、デザイン的にも優れかつ洗浄水生成部としてのベンチュリー部７や洗剤貯留槽８ｂ等の浴槽洗浄のための手段を浴槽蓋３の取っ手４ｂに対しシンプルかつコンパクトに付設させることができるようになる。
【００３７】
＜他の実施形態＞
なお、本発明は上記第１〜第３実施形態に限定されるものではなく、その他種々の実施形態を包含するものである。すなわち、浴槽蓋３として第１蓋部材３１及び第２蓋部材３２からなる折り畳み式のものを示したが、これに限らず、単にそれぞれ独立した２枚の蓋部材により浴槽蓋を構成し、その内の一方の蓋部材に対し取っ手４，４ａ，４ｂを形成して水供給路６、洗浄水生成部としてのベンチュリー部７、及び、洗剤貯留槽８，８ａ，８ｂを付設するようにしてもよい。もちろん、単一の蓋体により浴槽蓋を構成し、その単一の蓋体に対し上記と同様に取っ手４，４ａ，４ｂを形成して水供給路６、洗浄水生成部としてのベンチュリー部７、及び、洗剤貯留槽８，８ａ，８ｂを付設するようにしてもよい。又、端部材３０を用いずに、蓋部材３１の一端縁３１１において水供給路６を形成するための接続口を形成し、給水源・給湯源からの管路と着脱可能に接続し得るようにしてもよい。
【００３８】
又、以上の各実施形態では、洗浄対象を浴槽２(浴槽２の内表面２３)とした場合の浴槽蓋３を洗浄機構付き蓋体としたものを示したが、これに限らず、例えば便器(便器の内表面)を洗浄対象とした場合の便器蓋や、あるいは、食器洗浄機(食器洗浄機の内表面)を洗浄対象とした場合の食器洗浄機の開閉蓋に対し本発明の洗浄機構付き蓋体を適用してもよい。この場合には、上記の便器蓋又は開閉蓋を上記の各実施形態の如く折り畳み式に構成したり、あるいは、独立した１つの蓋体で構成したりして、それに対し上記各実施形態の取っ手４，４ａ，４ｂを形成して水供給路６、洗浄水生成部としてのベンチュリー部７、及び、洗剤貯留槽８，８ａ，８ｂを付設するようにすればよい。
【図面の簡単な説明】
【００３９】
【図１】本発明の実施形態が適用される浴槽蓋の例を示す斜視図であり、図１(ａ)は閉鎖状態を示し、図１(ｂ)は開放状態に開操作する途中段階を示し、図１(ｃ)は開放状態を示すものである。
【図２】図２(ａ)は第１実施形態の取っ手の縦断面説明図であり、図２(ｂ)は図２(ａ)の取っ手を含む浴槽蓋の部分斜視図である。
【図３】図３(ａ)は第１実施形態の他の形態の取っ手の図２(ａ)対応図であり、図３(ｂ)は図３(ａ)の取っ手を含む浴槽蓋の図２(ｂ)対応図である。
【図４】図４(ａ)は第２実施形態の他の形態の取っ手の図２(ａ)対応図であり、図４(ｂ)は図４(ａ)の取っ手を含む浴槽蓋の図２(ｂ)対応図である。
【図５】図５(ａ)は第３実施形態の他の形態の取っ手の図２(ａ)対応図であり、図５(ｂ)は図５(ａ)の取っ手を含む浴槽蓋の図２(ｂ)対応図である。
【符号の説明】
【００４０】
２        浴槽(洗浄対象)
３        浴槽蓋(洗浄機構付き蓋体)
４，４ａ，４ｂ        取っ手(開閉操作部)
５        洗浄ノズル
６        水供給路
７        ベンチュリー部(洗浄水生成部)
８，８ａ，８ｂ        洗剤貯留槽
９        通気孔
２２      浴槽の上面開口部(洗浄対象の上面開口部)
２３      浴槽の内表面(洗浄対象)
８１，８１′，８１ａ，８１ｂ    洗剤通路
９１      通気孔の一端
９２      通気孔の他端
３１０    表面(上面)
３１３    裏面(下面)
【図１】
2009022683.tif 000003
【図２】
2009022683.tif 000004
【図３】
2009022683.tif 000005
【図４】
2009022683.tif 000006
【図５】
2009022683.tif 000007